(57)【要約】      （修正有）【課題】ユーザ保有の画像素材とともに情報発信者が伝えたい情報がプリントされたシート片をユーザの手元に残すことができるサイネージ装置およびサイネージシステムを提供する。【解決手段】ネットワークを介した通信により情報を表示するサイネージ装置２００であって、ユーザ端末にアクセス先を伝達するアクセス先伝達部２１０と、アクセス先から提供される機能により、ユーザ端末Ｔ１０に保持された画像素材およびアクセス先で保持された付帯情報を用いて生成されたプリント対象のＩＤを取得するＩＤ取得部２２０と、取得されたＩＤで特定されるプリント対象を取得するプリント対象取得部２３０と、取得されたプリント対象をシート片にプリントするプリント部２４０と、を備える。【選択図】図３
0003231762.tif 000002
【実用新案登録請求の範囲】
【請求項１】
ネットワークを介した通信により情報を表示するサイネージ装置であって、
ユーザ端末にアクセス先を伝達するアクセス先伝達部と、
前記アクセス先から提供される機能により、前記ユーザ端末に保持された画像素材および前記アクセス先で保持された付帯情報を用いて生成されたプリント対象のＩＤを取得するＩＤ取得部と、
前記取得されたＩＤで特定される前記プリント対象を取得するプリント対象取得部と、
取得された前記プリント対象をシート片にプリントするプリント部と、を備えることを特徴とするサイネージ装置。
【請求項２】
前記プリント対象は、前記ユーザ端末に保持された画像素材を含む主領域と前記ユーザ端末に保持された画像素材を含まない副領域とに区分され、
前記シート片は、分離線の位置で前記主領域と前記副領域とに分離可能であることを特徴とする請求項１記載のサイネージ装置。
【請求項３】
前記シート片の前記主領域の大きさは、名刺サイズであることを特徴とする請求項２記載のサイネージ装置。
【請求項４】
前記アクセス先の伝達および前記ＩＤの取得には、二次元バーコードを用いることを特徴とする請求項１から請求項３のいずれかに記載のサイネージ装置。
【請求項５】
請求項１から請求項４のいずれかに記載のサイネージ装置と、
前記サイネージ装置と通信するサーバと、を備え、
前記サーバは、
前記ユーザ端末に保持された画像素材を取得する画像素材取得部と、
前記付帯情報のうち、特定の情報を選択する選択指示を受け付ける選択指示受付部と、
前記取得された画像素材および前記受け付けた選択指示に基づいて前記プリント対象を生成し、前記プリント対象を前記プリント対象のＩＤとともに管理するプリント対象管理部と、
前記ＩＤにより前記プリント対象を特定した前記プリント対象の送信要求を受け付ける送信要求受付部と、を有し、
前記プリント対象管理部は、前記送信要求の発信元へ前記送信要求に応じた前記プリント対象を送信することを特徴とするサイネージシステム。
【請求項６】
前記サーバは、前記ユーザ端末にブラウザ上で動作するプログラムを送信するプログラム送信部を更に備え、
前記サーバにおける前記取得された画像素材および前記受け付けた選択指示は、前記送信されたプログラムの動作により送信されたものであることを特徴とする請求項５記載のサイネージシステム。
【考案の詳細な説明】
【技術分野】
【０００１】
本考案は、ネットワークを介した通信により情報を表示するサイネージ装置およびサイネージシステムに関する。
【背景技術】
【０００２】
商業施設、駅、店頭などに設置され、表示と通信にデジタル技術を活用してディスプレイによって映像や文字を表示する情報媒体としてサイネージ装置が用いられている。サイネージ装置は、ネットワークを介して複数の表示情報を受信、記憶し、日時に応じて表示内容を切り替えることができ、その利便性から身近な広告媒体となっている。
【０００３】
このようなサイネージ装置にはプリント機能を有するものが知られている（特許文献１参照）。特許文献１記載のサイネージ装置は、ユーザにより選択されたプリント対象に応じてクーポン、オーダーシート、チラシマップをそれぞれ発行する。
【０００４】
一方、近年ではスマートフォンのデジタルカメラ機能が向上し、手軽に撮影が行われるようになった。例えば４人家族の世帯では、年間で１６００〜１７００ショットが撮影されると言われている。このように撮影された画像データに対し、ネットワークを介してプリントの注文を受け付けるサービスがある。
【０００５】
そして、プリントサービスを行うシステムには、個人が有する画像データのプリントにクーポンを組み合わせる技術が知られている（特許文献２参照）。特許文献２記載のシステムは、ユーザから画像データのプリント注文があると、画像データおよびユーザのプロファイルに応じた広告コンテンツをプリントする。
【先行技術文献】
【特許文献】
【０００６】
【特許文献１】特開２０１４−１５７５６５号公報
【特許文献２】特開２００６−８５３３７号公報
【考案の概要】
【考案が解決しようとする課題】
【０００７】
上記のように写真撮影の機能の向上により、携帯端末には膨大な画像データが蓄積されるようになった。そして、ユーザにはお気に入りの画像データを現物として残したいという要望が潜在的にある。しかしながら、一度撮られた画像データは何らかの機会がないとプリントされず蓄積される一方になりがちである。一方、クーポン等をプリントできるサイネージ装置はあるものの、それだけではインセンティブに乏しくプリント機能が十分に活用されない。
【０００８】
本考案は、このような事情に鑑みてなされたものであり、ユーザ保有の画像素材とともに情報発信者が伝えたい情報がプリントされたシート片をユーザの手元に残すことができるサイネージ装置およびサイネージシステムを提供することを目的とする。
【課題を解決するための手段】
【０００９】
（１）上記目的を達成するために、本考案は、以下のような手段を講じた。すなわち、本考案のサイネージ装置は、ネットワークを介した通信により情報を表示するサイネージ装置であって、ユーザ端末にアクセス先を伝達するアクセス先伝達部と、前記アクセス先から提供される機能により、前記ユーザ端末に保持された画像素材および前記アクセス先で保持された付帯情報を用いて生成されたプリント対象のＩＤを取得するＩＤ取得部と、前記取得されたＩＤで特定される前記プリント対象を取得するプリント対象取得部と、取得された前記プリント対象をシート片にプリントするプリント部と、を備えることを特徴としている。これにより、ユーザ保有の画像素材とともに情報発信者が伝えたい情報がプリントされたシート片をユーザの手元に残すことができる。
【００１０】
（２）また、本考案のサイネージ装置において、前記プリント対象は、前記ユーザ端末に保持された画像素材を含む主領域と前記ユーザ端末に保持された画像素材を含まない副領域とに区分され、前記シート片は、分離線の位置で前記主領域と前記副領域とに分離可能であることを特徴としている。これにより、副領域を切り離しクーポンやチケットとして利用することができ、シート片が普及しやすくなる。また、シート片の広告媒体としての価値が高まる。
【００１１】
（３）また、本考案のサイネージ装置において、前記シート片の前記主領域の大きさは、名刺サイズであることを特徴としている。これにより、外で手に入れたシート片を財布のような持ち運び容易な入れ物に折らずに入れて持ち帰ることができる。
【００１２】
（４）また、本考案のサイネージ装置において、前記アクセス先の伝達および前記ＩＤの取得には、二次元バーコードを用いることを特徴としている。これにより、素早く容易に情報を伝達できる。
【００１３】
（５）また、本考案のサイネージシステムにおいて、上記（１）〜（４）のいずれかに記載のサイネージ装置と、前記サイネージ装置と通信するサーバと、を備え、前記サーバは、前記ユーザ端末に保持された画像素材を取得する画像素材取得部と、前記付帯情報のうち、特定の情報を選択する選択指示を受け付ける選択指示受付部と、前記取得された画像素材および前記受け付けた選択指示に基づいて前記プリント対象を生成し、前記プリント対象を前記プリント対象のＩＤとともに管理するプリント対象管理部と、前記ＩＤにより前記プリント対象を特定した前記プリント対象の送信要求を受け付ける送信要求受付部と、を有し、前記プリント対象管理部は、前記送信要求の発信元へ前記送信要求に応じた前記プリント対象を送信することを特徴としている。このように、サーバがプリント対象を管理し、送信要求の発信元へプリント対象を送信する。これにより、サイネージ装置でのプリントを容易に実現できる。
【００１４】
（６）また、本考案のサイネージシステムにおいて、前記サーバは、前記ユーザ端末にブラウザ上で動作するプログラムを送信するプログラム送信部を更に備え、前記サーバにおける前記取得された画像素材および前記受け付けた選択指示は、前記送信されたプログラムの動作により送信されたものであることを特徴としている。これにより、ユーザ端末にアプリのダウンロードを必要とせず、ブラウザ上でのプリントまでの指示を可能にする。その結果、ユーザは手軽にシート片へのプリントを利用できる。
【考案の効果】
【００１５】
本考案によれば、ユーザ保有の画像素材とともに情報発信者が伝えたい情報がプリントされたシート片をユーザの手元に残すことができる。
【図面の簡単な説明】
【００１６】
【図１】本考案のサイネージシステムの構成を示す概略図である。
【図２】本考案のサイネージシステムの動作を示すフローチャートである。
【図３】本考案のサイネージシステムの機能的構成を示すブロック図である。
【図４】本考案のサイネージ装置の外観を示す正面図である。
【図５】本考案のサイネージシステムの基本的な利用例を示す概略図である。
【図６】本考案のサイネージシステムのポイント消費を伴う利用例を示す概略図である。
【考案を実施するための形態】
【００１７】
次に、本考案の実施の形態について、図面を参照しながら説明する。説明の理解を容易にするため、各図面において同一の構成要素に対しては同一の参照番号を付し、重複する説明は省略する。
【００１８】
［サイネージシステムの概要］
図１は、サイネージシステム１００の構成を示す概略図である。図２は、サイネージシステム１００の動作を示すフローチャートである。図１および図２を参照して、サイネージシステム１００の概要を説明する。
【００１９】
サイネージシステム１００は、サイネージ装置２００、サーバ３００を備えている。サイネージ装置２００は、ネットワークを介した通信によりサーバ３００と接続され、サーバ３００から取得した情報を表示できる。サイネージ装置２００は、商業施設等に設置されて主に広告向けに利用され、ディスプレイに映像や文字を表示する。サイネージ装置２００は、シート片にプリント対象をプリントする機能も有している。
【００２０】
ユーザ端末Ｔ１０は、例えばスマートフォンであり、サイネージ装置２００との間で二次元バーコードを介した情報の授受が可能である。また、ユーザ端末Ｔ１０は、通信機能を有し、ネットワークに接続可能である。
【００２１】
図１に示す例では、サーバ３００は、あらかじめ企業Ａの広告情報、店舗Ｂのクーポン情報を記憶している。これらの情報は、サイネージ装置２００の設置場所に応じたものであることが好ましく、店舗Ｂは、サイネージ装置２００の設置場所の近辺の店舗であることが好ましい。サイネージ装置２００は、二次元バーコード等でＵＲＬ等のアクセス先を常時表示することでアクセス先を伝達する（ステップＳ１０１）。ユーザは、ユーザ端末Ｔ１０をサイネージ装置２００に近づけ、アクセス先の情報を取得できる。なお、上記の例では単純化しているが、実際には広告情報やクーポン情報は複数種類保持されていることが好ましい。これらの情報は期間限定で利用可能に設定されていてもよい。
【００２２】
ユーザ端末Ｔ１０は、取得したアクセス先の情報によりサーバ３００に接続することで、ブラウザによりプリント機能の利用が可能である。ユーザが、ユーザ端末Ｔ１０に画像素材の指定、デコレーションおよびクーポン等の選択を入力すると、ユーザ端末Ｔ１０からこれらの指定や選択の指示がサーバ３００に送信される（ステップＳ１０２）。なお、アプリケーションをダウンロードして起動することでも同様の動作が可能であるが、ユーザの利便性を考慮するとブラウザ上での動作が好ましい。
【００２３】
サーバ３００は、これらの指定や選択の指示を受け付け、画像素材と企業Ａの広告を含む主領域および店舗Ｂのクーポンを含む副領域で構成されたプリント対象を生成し、ＩＤとともに管理する（ステップＳ１０３）。一方で、サーバ３００は、プリント対象のＩＤをユーザ端末Ｔ１０に送信する。
【００２４】
サイネージ装置２００は、ユーザ端末Ｔ１０が伝達したＩＤを取得する（ステップＳ１０４）。サイネージ装置２００は、サーバ３００に送信要求を出し、ＩＤにより特定されるプリント対象をサーバ３００から取得する（ステップＳ１０５）。このようにして得られたプリント対象をサイネージ装置２００がシート片Ｐ１０にプリントし、排出する（ステップＳ１０６）。これにより、ユーザは、画像素材やクーポンを含むシート片Ｐ１０を入手できる。
【００２５】
図１に示すシート片Ｐ１０では、主領域Ｐ１１に画像素材と企業Ａの広告Ａが表示されており、副領域Ｐ１２に店舗Ｂのクーポンが表示されている。そして、主領域Ｐ１１と副領域Ｐ１２との間に分離線Ｐ１３が設けられている。ユーザは、副領域Ｐ１２を切り離し、近くの店舗Ｂにそれをクーポンとして持参し、利用できる。また、ユーザは、シート片の主領域Ｐ１１を持ち帰ることができる。
【００２６】
このように、プリント対象は、ユーザ端末Ｔ１０に保持された画像素材を含む主領域Ｐ１１とユーザ端末Ｔ１０に保持された画像素材を含まない副領域Ｐ１２とに区分され、シート片Ｐ１０は、分離線Ｐ１３の位置で主領域Ｐ１１と副領域Ｐ１２とに分離可能であることが好ましい。これにより、副領域Ｐ１２を切り離しクーポンやチケットとして利用することができ、シート片Ｐ１０の普及が容易になる。また、シート片Ｐ１０の広告媒体としての価値が高まる。
【００２７】
シート片の主領域Ｐ１１の大きさは、名刺サイズであることが好ましい。これにより、外で手に入れたシート片の主領域Ｐ１１を財布、名刺入れ、定期入れ等の持ち運び容易な入れ物に折らずに入れて持ち帰ることができ、コレクションもしやすい。名刺サイズとは、縦８５ｍｍ〜１００ｍｍ×横４９ｍｍ〜６１ｍｍの大きさを指す。
【００２８】
［サイネージシステムの詳細］
サイネージシステム１００の構成の詳細を説明する。図３は、サイネージシステム１００の機能的構成を示すブロック図である。サイネージシステム１００を構成するサイネージ装置２００およびサーバ３００に内蔵されるコンピュータは、ＣＰＵ（Central Processing Unit／中央演算処理装置）、ＲＯＭ（Read Only Memory）、ＲＡＭ（Random Access Memory）、メモリをバスに接続して構成されている。また、各装置の動作は、プログラムを実行することで行われる。
【００２９】
（サイネージ装置）
サイネージ装置２００は、アクセス先伝達部２１０、ＩＤ取得部２２０、プリント対象取得部２３０およびプリント部を備えている。
【００３０】
アクセス先伝達部２１０は、ユーザ端末Ｔ１０にアクセス先としてサーバ３００に接続するためのＵＲＬを伝達する。二次元バーコードの表示による伝達が好ましい。これにより、素早く容易に情報を伝達できる。なお、ＵＲＬの表示、近距離無線通信によるものであってもよい。
【００３１】
ＩＤ取得部２２０は、サーバ３００から提供される機能により生成されたプリント対象のＩＤを取得する。プリント対象は、ユーザ端末Ｔ１０に保持された画像素材およびアクセス先で保持された付帯情報を用いて生成される。ＩＤの取得は、素早く容易な情報伝達の観点だけでなく個人情報の保護や意思確認等の観点からも二次元バーコードの表示によることが好ましい。
【００３２】
プリント対象取得部２３０は、取得されたＩＤで特定されるプリント対象を取得する。具体的には、サイネージ装置２００がサーバ３００にＩＤで特定されるプリント対象の送信要求を送り、サーバ３００がそれに応えることで行うことができる。
【００３３】
プリント部２４０は、取得されたプリント対象をシート片Ｐ１０にプリントする。これにより、ユーザ保有の画像素材とともに情報発信者が伝えたい情報がプリントされたシート片Ｐ１０をユーザの手元に残すことができる。
【００３４】
（サーバ）
サーバ３００は、画像素材取得部３１０、選択指示受付部３２０、プリント対象管理部３３０、送信要求受付部３４０およびプログラム送信部３５０を備えている。
【００３５】
画像素材取得部３１０は、ユーザ端末Ｔ１０の指定に基づいて、ユーザ端末Ｔ１０に保持された画像素材を取得する。選択指示受付部３２０は、付帯情報のうち特定の情報を選択する選択指示を受け付ける。付帯情報とは、画像素材に付帯させてプリント対象に含められる情報であり、例えば企業の広告情報、単なるデコレーション、クーポンの情報が該当する。
【００３６】
プリント対象管理部３３０は、取得された画像素材および受け付けた選択指示に基づいてプリント対象を生成し、プリント対象をプリント対象のＩＤとともに管理する。送信要求受付部３４０は、ＩＤによりプリント対象を特定したプリント対象の送信要求を受け付ける。
【００３７】
プリント対象管理部３３０は、特定のプリント対象の送信要求があったときには、送信要求の発信元へ送信要求に応じたプリント対象を送信する。このように、サーバ３００がプリント対象を管理し、送信要求の発信元へプリント対象を送信する。これにより、サイネージ装置２００でのプリントを容易に実現できる。
【００３８】
プログラム送信部３５０は、ユーザ端末にブラウザ上で動作するプログラムを送信する。サーバにおける取得された画像素材および受け付けた選択指示は、送信されたプログラムの動作により送信されたものであることが好ましい。これにより、ユーザ端末Ｔ１０にアプリケーションのダウンロードを必要とせず、ブラウザ上でのプリントまでの指示を可能にする。その結果、ユーザは手軽にシート片Ｐ１０へのプリントを利用できる。
【００３９】
［サイネージ装置の構造］
サイネージ装置２００は、上記の機能を実現するため、その構造にも特徴を有する。図４は、サイネージ装置２００の外観を示す正面図である。サイネージ装置２００は、ディスプレイ２４５、スピーカ２５０、カメラ２６０、プリンタ２７０および取り出し口２８０を備えている。
【００４０】
ディスプレイ２４５は、内部に記憶された静止画、動画等の広告データを表示する。また、例えば下端部のようにユーザが読み取りやすい位置にアクセス先として二次元バーコードを常時表示する。特に、頻繁に表示される広告とプリント対象に含めるために企業等が準備した付帯情報とが関連すると相乗効果が得られ好ましい。スピーカ２５０は、広告データに応じて音声を出力する。
【００４１】
カメラ２６０は、ユーザ端末Ｔ１０からプリント対象を特定するＩＤを読み取る機能を有しており、例えば二次元バーコードの読み取り用カメラである。内蔵されたコンピュータで撮影された画像から二次元バーコードの認識が可能になっている。
【００４２】
プリンタ２７０は、ユーザからは見えない装置内部に設けられている。管理者は、前面の開閉扉を開けることでプリンタ２７０を確認し、メンテナンスやシートの供給をすることができる。プリンタ２７０は、プリント指示があったときにはシートにプリント対象を印刷し、分離線を形成して、先端をシート片として切り離し、取り出し口２８０内に落とす。取り出し口２８０は、人の手でシート片を取り出せる程度の大きさの開口を形成している。なお、シートは、皺が生じず写真印刷に適した特殊なものを用いることが好ましい。
【００４３】
［第１利用例］
上記のように構成されたサイネージシステム１００は、例えば以下のように利用される。図５は、サイネージシステム１００の基本的な利用例を示す概略図である。図５に示すように、例えば、サイネージ装置２００付近に訪れた親子が、ディスプレイの広告映像により自分のお気に入りの画像を無償でプリントできることに興味を持ち、サイネージ装置２００を利用し始める。父親は自分のユーザ端末Ｔ１０でディスプレイに表示された二次元バーコードを読み取り、ＵＲＬでサーバ３００にアクセスする。
【００４４】
ユーザ端末Ｔ１０は、ブラウザ上で複数の画像素材をサムネイル形式で表示し、ユーザの指定を促す。ユーザ端末Ｔ１０は、同様にデコレーションやクーポンもサムネイル形式等で複数の選択肢を提示してユーザの選択を受け付ける。例えば親子で自撮りした画像素材Ｑ１０が指定される。指定された画像素材Ｑ１０は、プリント対象に組み込まれるとともに、ＩＤが二次元バーコードとしてユーザ端末Ｔ１０に送信される。この二次元バーコードをサイネージ装置２００に内蔵されるカメラにかざすことでプリントが始まる。
【００４５】
プリントされたシート片は、取出し口に排出される。シート片Ｐ１０は、主領域Ｐ１１と副領域Ｐ１２から構成され、それらを切り離せる位置に分離線Ｐ１３が設けられている。図５に示す例では、主領域Ｐ１１に、画像素材Ｑ１０とともにハンバーガーセットの広告がプリントされている。また、副領域Ｐ１２には、ポップコーンのクーポンがプリントされている。親子はポップコーンのクーポン部分を切り取り、近くの店舗で利用する。一方、シート片の主領域Ｐ１１は、記念品として持ち帰ることができる。
【００４６】
［第２利用例］
上記の利用例では、プリントが無償であるが、有償であってもよい。図６は、サイネージシステム１００のポイント消費を伴う利用例を示す概略図である。この場合には、ポイント消費の同意を得るステップが加わる。プリント対象のＩＤをサイネージ装置２００に伝達する直前に、ユーザ端末Ｔ１０においてポイント消費の同意を確認する画面が表示される。
【００４７】
これに対してユーザが同意するとプリントが実行される。それとともに、ユーザ端末Ｔ１０においてポイントを管理するサーバと通信がなされ、ポイントを消費する処理がなされる。このような処理は、事前にサーバ３００に準備されたプログラムに組み込まれており、ユーザ端末Ｔ１０のブラウザ上で実行される。なお、ポイント消費に代えて電子マネー等のキャッシュレス決済であってもよい。
【００４８】
［その他］
上記の実施形態では、ユーザ端末Ｔ１０が表示した二次元バーコードによりサイネージ装置２００がプリント対象のＩＤを取得している。これに対し、ＵＲＬクエリパラメータ等を用いてアクセス先の情報にサイネージ装置２００を特定する情報を組み込み、ユーザ端末Ｔ１０の指示を契機にサーバ３００がサイネージ装置２００にプリント対象を送信してもよい。その場合には、例えばサイネージ装置２００に意思確認ボタンを表示し、ユーザがそれにタッチする方法も可能である。
【００４９】
また、上記の例では、ポップコーン等の飲食物を販売する店舗の近くにサイネージ装置２００が設置されているが、その他、釣具屋のような趣味に特化した専門店、プロスポーツの会場や短期のイベント会場に設置されてもよい。また、キャンペーン期間に合わせて人通りの多い公共の場にサイネージ装置２００を設置して一時的に利用してもよい。
【符号の説明】
【００５０】
１００  サイネージシステム
２００  サイネージ装置
２１０  アクセス先伝達部
２２０  ＩＤ取得部
２３０  プリント対象取得部
２４０  プリント部
２４５  ディスプレイ
２５０  スピーカ
２６０  カメラ
２７０  プリンタ
２８０  取り出し口
３００  サーバ
３１０  画像素材取得部
３２０  選択指示受付部
３３０  プリント対象管理部
３４０  送信要求受付部
３５０  プログラム送信部
Ｔ１０  ユーザ端末
Ｐ１０  シート片
Ｐ１１  主領域
Ｐ１２  副領域
Ｐ１３  分離線
Ｑ１０  画像素材
【図１】
0003231762.tif 000003
【図２】
0003231762.tif 000004
【図３】
0003231762.tif 000005
【図４】
0003231762.tif 000006
【図５】
0003231762.tif 000007
【図６】
0003231762.tif 000008